(57)【特許請求の範囲】
【請求項１】
浴室ユニットであって、
底部と、
前記底部を囲むように前記底部の周縁部に立設された側壁と、
前記側壁によって形成される上方の開口を覆う天井と、を備え、
前記側壁の上端部には、前記天井の側周面を内方に押圧する押圧面が前記天井の側周面を囲むように設けられ、
前記天井は、発泡樹脂から形成されると共に、前記押圧面によって囲まれる圧縮空間に上方から圧入可能なように前記天井の周縁部が前記圧縮空間よりも外側に位置するよう予め大きめに形成されており、
前記天井は、前記側周面が前記側壁の押圧面によって内方に押圧されることで前記側壁の上端部に固定されることを特徴とする浴室ユニット。
【請求項２】
前記側壁は、上面視において矩形状となるよう、前記底部の周縁部に立設されており、  前記側壁には、前記側壁の上端部が上面視において外方に向かって凸状に変形してしまうことを防止する変形防止手段が設けられていることを特徴とする請求項１に記載の浴室ユニット。
【請求項３】
前記変形防止手段は、凹部が形成されるよう断面が逆Ｕ字状に形成されるとともに、前記側壁の上辺に沿って延びるよう形成された変形防止具であり、
前記変形防止具は、前記側壁の上端部に前記凹部をはめ込んだ状態で前記側壁に固定されていることを特徴とする請求項２に記載の浴室ユニット。
【請求項４】
前記変形防止具は、浴室空間内に膨出する膨出部を有しており、
前記天井は、前記天井を前記側壁の上端部に固定した状態において、前記膨出部よりも下方に配置されるとともに前記膨出部の下面に当接可能に外方に突出した第１の突出部を前記天井の下部に有することを特徴とする請求項３に記載の浴室ユニット。
【請求項５】
前記天井の上部には、前記側壁に設けられた被当接部に当接可能な、外方に突出する第２の突出部が設けられていることを特徴とする請求項１〜４のいずれかに記載の浴室ユニット。
【発明の詳細な説明】
【技術分野】
【０００１】
本発明は、浴室ユニットに関する。
【背景技術】
【０００２】
従来から、例えば特許文献１に記載されているように、発泡樹脂のみで形成された天井パネルを有する浴室ユニットが知られている。
【０００３】
このように、硬質な金属性板材などを用いることなく発泡樹脂のみで天井パネルを形成することにより、軽量かつ高い断熱性を有する天井パネルを実現することができ、天井パネル運搬時の負荷軽減や、浴室使用時に天井パネルに生じる結露の発生を抑制することができる。
【先行技術文献】
【特許文献】
【０００４】
【特許文献１】特開平１１−２７０１６３号公報
【発明の概要】
【発明が解決しようとする課題】
【０００５】
ここで、天井パネルのさらなる軽量化や断熱性の向上を図ろうとした場合、発泡倍率が非常に高い発泡樹脂によって天井パネルを形成することが考えられる。しかし、発泡倍率を非常に大きくすると、天井パネルの剛性が低下してしまい、特許文献１に記載の浴室ユニットのように、天井パネルにビスを螺合させ、側壁パネルを取り付ける支柱（コーナーフレーム、フラットフレーム）と天井パネルを締め付け固定することができなくなってしまう。
【０００６】
本発明は、かかる課題の認識に基づいてなされたものであり、発泡倍率が高い発泡樹脂で天井を形成したとしても、天井にビス等のねじ類を用いることなく、天井を側壁上方に固定可能な浴室ユニットを提供することを目的とする。
【課題を解決するための手段】
【０００７】
上記課題を解決するために、本発明に係る浴室ユニットは、底部と、前記底部を囲むように前記底部の周縁部に立設された側壁と、前記側壁によって形成される上方の開口を覆う天井と、を備え、前記側壁の上端部には、前記天井の側周面を内方に押圧する押圧面が前記天井の側周面を囲むように設けられ、前記天井は、発泡樹脂から形成されると共に、前記押圧面によって囲まれる圧縮空間に上方から圧入可能なように前記天井の周縁部が前記圧縮空間よりも外側に位置するよう予め大きめに形成されており、前記天井は、前記側周面が前記側壁の押圧面によって内方に押圧されることで前記側壁の上端部に固定されることを特徴とする。
【０００８】
本発明に係る浴室ユニットにおいては、天井の側周面を内方に押圧する押圧面によって囲まれる圧縮空間に上方から圧入可能なように、天井の周縁部が圧縮空間よりも外側に位置するよう予め大きめに形成されている。高発泡倍率の発泡樹脂で形成された天井は、比較的大きめに弾性変形しやすいため、これを利用することで、この天井を圧縮空間に上方から圧入して、天井を側壁に固定することができる。すなわち、側壁の押圧面により天井の水平方向への移動を規制するとともに、押圧面と天井の側周面との間に作用する摩擦力によって天井の鉛直方向への移動を規制することで、天井にねじ類を用いることなく、側壁の上端部に天井を固定することができる。
【０００９】
また、高発泡倍率の発泡樹脂で形成された天井は、成形時の収縮誤差が大きく、天井の大きさにばらつきが生じやすくなってしまうが、本発明では天井を予め大きく形成し、押圧面で押圧することによって、天井を圧縮して固定するため、そのような誤差を吸収することができる。したがって、高発泡倍率の発泡樹脂で形成された天井であっても、成形時の収縮誤差の影響により天井が固定できなくなってしまうような事態を回避することができる。
【００１０】
また、本発明に係る浴室ユニットでは、前記側壁は、上面視において矩形状となるよう、前記底部の周縁部に立設されており、前記側壁には、前記側壁の上端部が上面視において外方に向かって凸状に変形してしまうことを防止する変形防止手段が設けられていることも好ましい。
【００１１】
側壁の上端部に設けられた押圧面によって天井を内方に押圧する際、側壁は、反作用によって天井から外方に押圧される。このため、上面視において矩形状となるよう立設された側壁は、矩形を形成する各辺が上面視において外方に向かって凸状に変形してしまう恐れがある。この好ましい態様では、変形防止手段を設けることによって、側壁の上端部に生じるこのような変形を防止することができる。しがって、浴室ユニット内の美観を維持しつつも、天井にねじ類を用いることなく側壁の上端部に天井を固定することができる。
【００１２】
また、本発明に係る浴室ユニットでは、前記変形防止手段は、凹部が形成されるよう断面が逆Ｕ字状に形成されるとともに、前記側壁の上辺に沿って延びるよう形成された変形防止具であり、前記変形防止具は、前記側壁の上端部に前記凹部をはめ込んだ状態で前記側壁に固定されていることも好ましい。
【００１３】
この好ましい態様では、断面が逆Ｕ字状に形成されるとともに側壁の上辺に沿って延びるよう形成された変形防止具の凹部を、側壁の上端部にはめ込んだ状態で変形防止具が固定されているため、変形防止具によって、上面視で側壁の上端部が外方に凸状となるような変形してしまうことを防止することができる。したがって、簡単な構造の変形防止具で、側壁の変形を防止することができる。
【００１４】
また、本発明に係る浴室ユニットでは、前記変形防止具は、浴室空間内に膨出する膨出部を有しており、前記天井は、前記天井を前記側壁の上端部に固定した状態において、前記膨出部よりも下方に配置されるとともに前記膨出部の下面に当接可能に外方に突出した第１の突出部を前記天井の下部に有することも好ましい。
【００１５】
浴室ユニットの天井には、例えば使用者が天井を清掃する際などに、天井の下面から上方に向かって大きな外力が加えられることがある。この好ましい態様では、このような外力が生じたとしても、第１突出部が変形防止具の膨出部の下面に当接し、天井が上方に移動してしまうことをより確実に防止することができる。また、変形防止具に膨出部を設けているため、膨出部を有する部材を別途設ける必要がないため、簡単な構造で天井の変形防止と天井の上方へのより確実な移動防止を図ることができる。
【００１６】
また、本発明に係る浴室ユニットでは、前記天井の上部には、前記側壁に設けられた被当接部に当接可能な、外方に突出する第２の突出部が設けられていることも好ましい。
【００１７】
この好ましい態様では、第２の突出部が側壁に設けられた被当接部に当接するまで天井を圧入すればよいため、天井を圧縮空間に圧入する際、天井を必要以上に下方まで移動させてしまい、天井の高さが低くなってしまうことを防止することができる。
【発明の効果】
【００１８】
本発明の浴室ユニットによれば、発泡倍率が高い発泡樹脂で天井を形成したとしても、天井にビス等のねじ類を用いることなく、天井を側壁上方に固定可能な浴室ユニットを提供することができる。
【図面の簡単な説明】
【００１９】
【図１】本発明の実施形態に係る浴室ユニットの全体斜視図。
【図２】図１に示した浴室ユニットの壁パネルと支柱の嵌合構造を示す断面図。
【図３】図１に示した浴室ユニットの側壁の側面図。
【図４】図１に示した浴室ユニット上方の分解斜視図。
【図５】図１に示した浴室ユニットの天井の斜視図。
【図６】図１に示した浴室ユニットの天井の大きさを模式的に表す上面図。
【図７】図１に示した浴室ユニットの天井の圧入前後の様子を模式的に示す側面図。
【図８】図１に示した浴室ユニットの天井を圧入した状態における圧力の作用状態を模式的に示す上面図。
【発明を実施するための形態】
【００２０】
以下、添付図面を参照しながら本発明の実施の形態について説明する。説明の理解を容易にするため、各図面において同一の構成要素に対しては可能な限り同一の符号を付して、重複する説明は省略する。
【００２１】
本発明の実施形態である浴室ユニットについて図１を参照しながら説明する。図１は、本発明の実施形態にかかる浴室ユニットの全体斜視図である。
【００２２】
図１に示した浴室ユニットＵＢは、底部１００、側壁Ｗ、天井４００（浴室ユニット内部の構造が分かるよう、図１では破線で図示）とを備えている。底部１００は、浴槽１１０と洗い場床１２０を有する。また、側壁Ｗは、支柱２００と壁パネル３００（浴室内部の構造が分かるよう、図１では図示省略。図４を参照）を有する。
【００２３】
浴槽１１０の下部裏面における四隅近傍には、支持脚１１１が設けられ、その支持脚６を介して、浴槽１１０は浴室設置面（例えば、建物の床）の上に設置される。支持脚１１１は、ボルト部を回転させることで高さ調節可能な構造を有する。
【００２４】
洗い場床１２０は、周縁部が上側に折り曲げられた浅底の器状（パン状）に形成され、浴室外部に湯水を漏出させない防水性を有する。そして、ボルト部を回転させることで高さ調節可能な構造を有する支持脚１２１を介して浴室設置面上に設置されている。
【００２５】
底部１００の周縁部１０１には、所定の間隔をおいて、下端が周縁部１０１に固定された複数の支柱２００が立設されている。また、同様に、底部１００の周縁部１０１には、複数の壁パネル３００が立設されており、これらの壁パネル３００は、左右それぞれの端部３０３、３０４が、隣り合う支柱２００に支持されて周縁部１０１に立設されている。ここで、周縁部１０１とは、底部１００の周縁を指すものであり、支柱２００や壁パネル３００を立設させる部位であれば、本実施形態のように、浴槽１１０や洗い場床１２０の周縁部も周縁部１０１の一部に含まれる。
【００２６】
ここで、図２を参照しながら、支柱２００と壁パネル３００の構造、および、支柱２００と壁パネル３００の連結構造について説明する。図２は、本実施形態における２つの壁パネル３００と支柱２００の嵌合構造を示した断面図である。図２では、支柱２００の立設方向と直交する方向に沿った断面を示している。  図２（Ａ）は、同一平面で隣接する２つの壁パネル３００と、これらの間に設けられた支柱２００との嵌合構造を例示している。図２（Ｂ）は、隅部で直交する２つの壁パネル３００と、これらの間に設けられた支柱２００との嵌合構造を例示している。
【００２７】
壁パネル３００は、厚みのある石膏ボード３１０の表面に薄い鋼板３２０を張り合わせて構成されている。また、支柱２００は、薄板を折り曲げた中空構造となるよう構成されており、左右の折り返し部分２１０はバネ性有している。
【００２８】
図２（Ａ）では、２つの壁パネル３００の取り付け状態を例示している。２つの壁パネル３００の鋼板３２０の左右の側面部には、それぞれバネ性を有した裏側への折り返し部分３２１が設けられている。２つの壁パネル３００を支柱２００に取り付けるには、折り返し部分３２１を支柱２００の左右の折り返し部分２１０の間に嵌め込む。折り返し部分３２１は、左右の折り返し部分２１０の間を押し広げるようにして嵌め込まれる。  折り返し部分３２１が嵌め込まれると、２つの壁パネル３００が支柱２００を間にして同一面状に固定される。
【００２９】
図２（Ｂ）では、直行する２つの壁パネル３００の取り付け状態を例示しているが、図２（Ａ）とは２つの壁パネル３００の取付け角度が異なるだけで、取り付け基本構造は同じ考え方を採用しているため説明は省略する。折り返し部分３２１が嵌め込まれると、２つの壁パネル３００は支柱２００を間にして直交する状態に固定される。このようにして、側壁Ｗは底部１００を囲むように底部１００の周縁部１０１に立設され、浴室ユニットＵＢの側面４面を構成している。
【００３０】
側壁Ｗの上端部ＷＵには、変形防止具５００が固定されている。具体的には、ねじ７００よって壁パネル３００の上端部３０１に変形防止具５００が固定されている。図３は、変形防止具５００が固定された壁パネル３００の側面図である。図３では、壁パネル３００の立設方向に沿った断面を示している。また、図４は、浴室ユニットＵＢの変形防止具５００および天井４００のみを分解した分解斜視図である。図３に示すように、変形防止具５００（変形防止手段）は、水平部５１０と、水平部５１０の一端側から下方に延びる第１垂下部５２０と、水平部５１０の他端側から下方に延びる第２垂下部５３０を有する、断面が逆Ｕ字状に形成された、アルミ等の金属やＡＢＳ等の硬質な樹脂で形成された金具である。この変形防止具５００は、水平部５１０、第１垂下部５２０、第２垂下部５３０によって形成された凹部５４０を側壁Ｗの上端部ＷＵに上方から嵌め込んだ状態で、壁パネル３００にねじ７００で固定されている。図４に示すように、この変形防止具５００は、側壁Ｗの上辺に沿って延びるよう構成されており、上面視において矩形を形成する側壁Ｗの各辺の全てを覆うように側壁Ｗの上端部ＷＵに取り付けられている。
【００３１】
変形防止具５００の第１垂下部５２０の下部には、浴室内方へ膨出する膨出部５２１が設けられている。膨出部５２１は、断面が台形状になるよう形成されており、これにより、膨出部５２１上面に第１傾斜面５２３を形成するとともに、下面には第２傾斜面を形成し、側面に押圧面５２２を形成している。なお、変形防止具５００を、側壁Ｗの全ての上端部ＷＵに固定した状態において、変形防止具５００の押圧面５２２によって囲まれる空間は、天井４００が圧入および圧縮される圧縮空間Ｓとして構成される。
【００３２】
続いて、図４および図５を参照しながら天井４００について説明する。図５は、天井４００の斜視図であり、図５（Ａ）は、天井４００を上方から見た斜視図であり、図５（Ｂ）天井４００を下方から見た斜視図である。天井４００は、例えば、ＥＰＰ（発泡ポリプロピレン）、ＥＰＳ（発泡ポリスチレン）などの発泡樹脂により形成されている。天井４００は、高い軽量性および断熱性を実現するために、例えば、５〜３０倍の発泡倍率の発泡樹脂によって形成されている。天井４００は、浴室ユニットＵＢの側面４面を構成している側壁Ｗによって上方に形成される開口６００を覆うものである。
【００３３】
天井４００は、芯となる扁平の直方体状の基部４１０と、基部４１０の上端部からフランジ状に外方に突出する第２のフランジ状突出部４３０と、基部４１０の下端部からフランジ状に外方に突出する第１のフランジ状突出部４２０を有する。基部４１０の下方側は、圧縮空間Ｓに上方より圧入される圧入部４１１として構成され、さらに圧入部４１１の一部は、天井４００を側壁Ｗに固定した状態において、その側周面４１４が押圧面５２２によって浴室空間内方に押圧されて圧縮される圧縮部４１２として構成されている。
【００３４】
第２のフランジ状突出部４３０は、第２のフランジ状突出部４３０の外郭が組立後の壁パネル３００の外郭と略一致するよう突出しており、第１のフランジ状突出部４２０の突出長さは、第２のフランジ状突出部４３０の突出長さよりも小さく形成されている。天井４００は、第２のフランジ状突出部４３０が壁パネル３００に固定された変形防止具５００の水平部５１０の上面に当接するまで圧入すれば、圧入部４１１が所望の高さまで圧入されるよう構成されている。
【００３５】
図６は、天井４００を圧縮空間Ｓに圧入する前の浴室ユニットＵＢを上方から見た様子を模式的に表す図である。図６において、破線Ｎは、側壁Ｗによって圧縮される前の圧縮部４１２の外郭を示すものである。図６に示すように、天井４００における圧縮部４１２は、圧縮部４１２の周縁部４１３が圧縮空間Ｓよりも外側に位置するよう、予め大きめに形成されている。このように構成することで、天井４００の圧縮部４１２は、圧縮空間Ｓに圧入可能となる。
【００３６】
続いて、図７を参照しながら、天井４００を圧縮空間Ｓに圧入する方法について説明する。図７は、天井４００の圧入前後の様子を模式的に示す側面図であり、図７（Ａ）は圧入前の様子を示しており、図７（Ｂ）は圧入後の様子を示している。天井４００は、底部１００に支柱２００と壁パネル３００が立設された後、図７（Ａ）のように、圧縮空間Ｓに上方より圧入される。また、天井４００は、第２のフランジ状突出部４３０が壁パネル３００に固定した変形防止具５００の水平部５１０の上面に当接するまで下方に圧入される。圧入が完了した状態では、図７（Ｂ）のように、変形防止具５００の膨出部５２１の押圧面５２２によって天井４００の圧縮部４１２が内方に押圧され、天井４００が側壁Ｗに固定される。すなわち、側壁Ｗにより天井４００の水平方向への移動が規制されるとともに、天井４００の圧縮部４１２と側壁Ｗとの間に作用する摩擦力によって天井４００の鉛直方向（上下方向）への移動が規制される。したがって、ビス等のねじ類を天井４００に用いることなく側壁Ｗの上端部に天井４００を固定することができる。また、圧縮空間Ｓに下方に圧入するという簡単な作業で天井４００を側壁Ｗに固定することができる。さらに、高発泡倍率の発泡樹脂で形成された天井４００は、成形時の収縮誤差が大きく、天井４００の大きさに大きなばらつきが生じやすくなってしまうが、天井４００の圧縮部４１２を予め圧縮空間Ｓよりも大きく形成するため、押圧面５２２に圧縮されて生じる圧縮部４１２の変形によって、そのような誤差を吸収することができる。したがって、高発泡倍率の発泡樹脂で形成された天井４００であっても、成形時の収縮誤差の影響により天井４００が固定できなくなってしまうような事態を回避することができる。
【００３７】
ここで、図８を参照しながら、圧縮部４１２を圧縮空間Ｓに圧入した状態における、押圧面５２２による圧縮部４１２への押圧状態をより具体的に説明する。図８は、圧縮部４１２を圧縮空間Ｓに圧入した状態を模式的に表す上面図である。図８では、説明の便宜上、天井４００に関しては、圧縮部４１２のみの断面を示している。図８に示すように、圧縮空間Ｓに圧入された圧縮部４１２は、押圧面５２２によって黒矢印で示すように周囲から内方に押圧される。圧縮部４１２は高発泡倍率の発泡樹脂で形成されているため、比較的高い弾性を有しており、弾性変形した状態で、側壁Ｗに固定される。したがって、反作用によって、圧縮部４１２を押圧している押圧面５２２は、圧縮部４１２から、図８に白抜矢印で示すように、外方に押圧される。このため、上面視において矩形を形成している側壁Ｗの上端部ＷＵにおける中央部ＷＭは、上面視において外方に向かって凸状に変形してしまう恐れがあるが、本実施形態に係る浴室ユニットＵＢでは、変形防止具５００を側壁Ｗの上端部ＷＵに固定しているため、側壁Ｗの上端部ＷＵに生じ得るそのような変形を防止することができる。しがって、側壁Ｗが変形して浴室ユニット内の美観が低下してしまうことを防止できるため、浴室ユニットＵＢ内の美観を維持することができる。
【００３８】
また、本実施形態に係る浴室ユニットＵＢでは、断面が逆Ｕ字状に形成されるとともに側壁Ｗの上辺に沿って延びるよう構成されている簡単な構造の変形防止具５００によって、上面視で側壁Ｗが外方に凸状となるような変形が生じることを防止することができる。
【００３９】
また、浴室ユニットＵＢの施工後、天井４００には、例えば使用者が天井４００を清掃する際などに、天井４００の下面から上方に向かって大きな外力が加えられる恐れがあるが、本実施形態に係る浴室ユニットＵＢでは、天井４００を側壁Ｗに固定した状態においては、第１のフランジ状突出部４２０が膨出部５２１の下方に位置すると共に、膨出部５２１の下面（第２傾斜面５２４）に第１のフランジ状突出部４２０の上面が当接するため、より確実に天井４００の上方への移動を防止することができる。すなわち、圧縮部４１２と側壁Ｗとの間に生じる摩擦力に抗して天井４００が上方へ移動するほどに非常な大きな外力が天井４００に下方から加えられたとしても、膨出部５２１の下面に第１のフランジ状突出部４２０の上面が引っ掛かり、天井４００の上方への移動をより確実に防止することができる。
【００４０】
さらに、本実施形態においては、天井４００の上部には、変形防止具５００の水平部５１０の上面と当接可能な、第２のフランジ状突出部４３０が設けられているため、天井４００を圧縮空間Ｓに圧入する際、天井４００を必要以上に下方まで移動させてしまい、浴室ユニットＵＢ内の空間の高さが所望の高さよりも低くなってしまうことを防止することができる。
【００４１】
さらに、本実施形態においては、膨出部５２１の上面に、側壁Ｗ側から浴室空間内へ向かって下降傾斜する第１傾斜面５２３を形成しているため、天井４００を圧縮空間Ｓへ圧入する際に、圧入部４１１を圧入しやすくなる。
【００４２】
また、本実施形態においては、膨出部５２１の下面に、側壁Ｗ側から浴室空間内へ向かって上昇傾斜する第２傾斜面５２４を形成しているため、天井４００を側壁Ｗから外す際に、膨出部５２１に引っ掛かる第１のフランジ状突出部４２０を膨出部５２１から上方へ抜きやすくすることができる。
【００４３】
なお、圧入部４１１の圧縮空間Ｓへの圧入方法としては、浴室空間外から天井４００を圧縮空間Ｓに上方から下方に押し込んで圧入しても良いし、天井４００を上下方向に貫通する点検口および点検口蓋を天井４００に設け、側壁Ｗ上に天井４００を載置した後、浴室空間内から、点検口を介して浴室空間外へ上半身を出し、天井４００を上方から下方に押し込んで圧入しても良い。また、天井４００の下端部に手の指を引っ掛ける引っ掛け凹部を形成し、側壁Ｗ上に天井４００を載置した後、浴室空間内から引っ掛け凹部に指を引っ掛け、浴室空間内から天井４００を下方に引き込んで圧入しても良い。
【００４４】
なお、本実施形態に係る浴室ユニットＵＢにおいては、押圧面５２２は側壁Ｗに固定された変形防止具５００によって形成されていたが、本発明に係る浴室ユニットはこれに限られるものではなく、例えば、浴室空間に面する壁パネル３００の表面を押圧面として形成しても構わない。
【００４５】
また、本実施形態に係る浴室ユニットＵＢにおいては、第２のフランジ状突出部４３０が、側壁Ｗに固定された変形防止具５００の水平部５１０の上面に当接するよう構成されているが、本発明に係る浴室ユニットはこれに限られるものではなく、例えば、壁パネル３００の上面に当接するように構成しても構わない。
【符号の説明】
【００４６】
１００：底部
１０１：周縁部
１１０：浴槽
１２０：洗い場床
２００：支柱
２１０：折り返し部分
３００：壁パネル
３０１：上端部
３０３：端部（左端部）
３０４：端部（右端部）
３１０：石膏ボード
３２０：鋼板
３２１：折り返し部分
４００：天井
４１０：基部
４１１：圧入部
４１２：圧縮部
４１３：周縁部
４１４：側周面
４２０：第１のフランジ状突出部（第１の突出部）
４３０：第２のフランジ状突出部（第２の突出部）
５００：変形防止具（変形防止手段）
５１０：水平部（被当接部）
５２０：第１垂下部
５２１：膨出部
５２２：押圧面
５２３：第１傾斜面
５２４：第２傾斜面
５３０：第２垂下部
５４０：凹部
６００：開口
７００：ねじ
ＵＢ：浴室ユニット
Ｗ：側壁
ＷＵ：上端部
ＷＭ：中央部
Ｓ：圧縮空間
Ｎ：外郭
【図１】
0006555638.tif 000002
【図２】
0006555638.tif 000003
【図３】
0006555638.tif 000004
【図４】
0006555638.tif 000005
【図５】
0006555638.tif 000006
【図６】
0006555638.tif 000007
【図７】
0006555638.tif 000008
【図８】
0006555638.tif 000009